(57)【要約】      （修正有）【課題】施工性を向上し得る手摺装置を提供する。【解決手段】長尺状の手摺本体２０の長手方向に沿って間隔を空けて配設され、壁面に固定する手摺固定用部材１０、を備えた手摺装置１であって、手摺本体は、長手方向に沿って設けた嵌合溝２５の両側壁間に架け渡されるように設けられた軸部３０と、軸部の外周側に径方向に突出するように設けられ、嵌合溝の両側壁間方向に沿って移動可能とされた固定部３３と、を備えており、手摺固定用部材は、壁面に固定される固定部と、手摺本体の嵌合溝に嵌め込まれる嵌込部１３と、を備え、嵌込部には、手摺本体の軸部を受け入れる軸部受入溝部１７と手摺本体の固定部を受け入れる固定部受入溝部１８とからなる切欠状段付溝部１６が設けられており、手摺本体には、手摺本体の固定部を嵌合溝の両側壁間方向に移動させて手摺固定用部材の切欠状段付溝部の段部１９に押し付ける押付機構部３１，３２が設けられている。【選択図】図１
2014134046.tif 000002
【特許請求の範囲】
【請求項１】
長尺状の手摺本体と、該手摺本体の長手方向に沿って間隔を空けて配設され、該手摺本体を壁面に沿わせるように固定する手摺固定用部材と、を備えた手摺装置であって、
前記手摺本体は、長手方向に沿って設けた嵌合溝の両側壁間に架け渡されるように設けられた軸部と、該軸部の外周側に径方向に突出するように設けられ、前記嵌合溝の両側壁間方向に沿って移動可能とされた固定部と、を備えており、
前記手摺固定用部材は、前記壁面に固定される固定部と、前記手摺本体の嵌合溝に嵌め込まれる嵌込部と、を備え、該嵌込部には、前記嵌合溝の長手方向に沿う方向の一方側に向けて開口するように、かつ前記手摺本体の嵌合溝の両側壁間方向に沿って貫通するように、前記手摺本体の軸部を受け入れる軸部受入溝部と該軸部受入溝部よりも溝幅が大とされ前記手摺本体の固定部を受け入れる固定部受入溝部とからなる切欠状段付溝部が設けられており、
前記手摺本体には、当該手摺本体の前記固定部を前記嵌合溝の両側壁間方向に移動させて前記手摺固定用部材の切欠状段付溝部の段部に押し付ける押付機構部が設けられていることを特徴とする手摺装置。
【請求項２】
請求項１において、
前記手摺本体の押付機構部は、前記軸部の一端部に設けられ、前記嵌合溝の一側壁にねじ込まれるねじ部と、該軸部の他端部に当該手摺本体の外面側に露出するように設けられ、該軸部に固定的に設けた前記固定部を前記嵌合溝の両側壁間方向に沿って移動させる回転操作部と、を備えた構造とされていることを特徴とする手摺装置。
【請求項３】
請求項１または２において、
前記手摺固定用部材の切欠状段付溝部の段部に、前記嵌合溝の両側壁間方向に開口するように前記手摺本体の固定部を受け入れる凹所を設けたことを特徴とする手摺装置。
【発明の詳細な説明】
【技術分野】
【０００１】
本発明は、壁面に固定される手摺装置に関する。
【背景技術】
【０００２】
従来より、階段や廊下等の壁面に固定される手摺が知られている。例えば、下記特許文献１では、手すりを壁面に固定する木製手すりブラケットが提案されている。このブラケットは、壁面に固定される壁面取付け部と、該壁面取付け部の上面から上方側に突出するように設けられ、手すりが取り付けられる手すり受け部とによって、略Ｌ字断面形状とされている。また、手すり受け部の上端部に、手すりを受けやすい形状とした手すり受け座面を設けた構成とされている。
【先行技術文献】
【特許文献】
【０００３】
【特許文献１】実用新案登録第３１７９１２９号公報
【発明の概要】
【発明が解決しようとする課題】
【０００４】
しかしながら、上記特許文献１に記載されたようなブラケットでは、壁面に固定されたブラケットに手すりを取り付ける際に、手すり受け座面に載せ置いた手すりがずれ落ち易くなることが考えられ、更なる改善が望まれる。
【０００５】
本発明は、上記実情に鑑みてなされたものであり、施工性を向上し得る手摺装置を提供することを目的としている。
【課題を解決するための手段】
【０００６】
上記目的を達成するために、本発明に係る手摺装置は、長尺状の手摺本体と、該手摺本体の長手方向に沿って間隔を空けて配設され、該手摺本体を壁面に沿わせるように固定する手摺固定用部材と、を備えた手摺装置であって、前記手摺本体は、長手方向に沿って設けた嵌合溝の両側壁間に架け渡されるように設けられた軸部と、該軸部の外周側に径方向に突出するように設けられ、前記嵌合溝の両側壁間方向に沿って移動可能とされた固定部と、を備えており、前記手摺固定用部材は、前記壁面に固定される固定部と、前記手摺本体の嵌合溝に嵌め込まれる嵌込部と、を備え、該嵌込部には、前記嵌合溝の長手方向に沿う方向の一方側に向けて開口するように、かつ前記手摺本体の嵌合溝の両側壁間方向に沿って貫通するように、前記手摺本体の軸部を受け入れる軸部受入溝部と該軸部受入溝部よりも溝幅が大とされ前記手摺本体の固定部を受け入れる固定部受入溝部とからなる切欠状段付溝部が設けられており、前記手摺本体には、当該手摺本体の前記固定部を前記嵌合溝の両側壁間方向に移動させて前記手摺固定用部材の切欠状段付溝部の段部に押し付ける押付機構部が設けられていることを特徴とする。
【０００７】
本発明においては、前記手摺本体の押付機構部は、前記軸部の一端部に設けられ、前記嵌合溝の一側壁にねじ込まれるねじ部と、該軸部の他端部に当該手摺本体の外面側に露出するように設けられ、該軸部に固定的に設けた前記固定部を前記嵌合溝の両側壁間方向に沿って移動させる回転操作部と、を備えた構造とされたものとしてもよい。
また、本発明においては、前記手摺固定用部材の切欠状段付溝部の段部に、前記嵌合溝の両側壁間方向に開口するように前記手摺本体の固定部を受け入れる凹所を設けてもよい。
【発明の効果】
【０００８】
本発明に係る手摺装置は、上述のような構成としたことで、施工性を向上させることができる。
【図面の簡単な説明】
【０００９】
【図１】（ａ）、（ｂ）は、いずれも本発明の一実施形態に係る手摺装置の一例を模式的に示し、図２（ａ）のＺ−Ｚ線矢視に対応させた一部破断概略縦断面図である。
【図２】（ａ）は、図４のＸ部に対応させた一部省略概略平面図、（ｂ）は、図４のＹ−Ｙ線矢視に対応させた概略縦断面図である。
【図３】同手摺装置の一例を模式的に示す一部破断概略分解斜視図である。
【図４】同手摺装置の一例を模式的に示す一部破断概略平面図である。
【発明を実施するための形態】
【００１０】
以下に本発明の実施の形態について、図面に基づいて説明する。
図１〜図４は、本実施形態に係る手摺装置の一例を模式的に示す図である。
なお、以下の実施形態では、手摺装置を施工した状態を基準として、上下方向等の方向を原則的に説明する。
【００１１】
本実施形態に係る手摺装置１は、図４に示すように、長尺状の手摺本体２０と、手摺本体２０の長手方向に沿って間隔を空けて配設され、手摺本体２０を壁面２に沿わせるように固定する手摺固定用部材１０と、を備えている。また、本実施形態では、手摺本体２０を、長手方向を歩行方向に沿わせるように手摺固定用部材１０を介して壁面２に固定する構造とした手摺固定構造を例示している。また、手摺本体２０を、長手方向を略水平方向に沿わせて手摺固定用部材１０を介して壁面２に固定する構造としている。
なお、手摺装置１の固定対象としての壁面２としては、例えば、住居等の建物内の廊下や階段、玄関、浴室、便所、寝室等の壁面２としてもよい。また、壁面２を構成する壁内部に、手摺固定用部材１０を固定するねじや釘等の止具３がねじ込まれる（または打ち込まれる）手摺下地を適宜、必要に応じて設けるようにしてもよい。
【００１２】
手摺本体２０には、図２（ｂ）及び図４に示すように、嵌合溝２５が設けられている。本実施形態では、嵌合溝２５を、手摺本体２０の壁面２側に壁面２側に向けて開口するように長手方向に沿って設けている。
手摺本体２０は、手摺固定用部材１０に固定される固定部２４を長手方向に沿って設け、この固定部２４に連なるように握部２１を長手方向に沿って設けた構造とされている。図例では、縦断面視（長手方向に直交する断面視）において上下方向に長尺な概ね矩形状とされた中実状の手摺本体２０を示している。この手摺本体２０は、本実施形態では、上述のように長手方向を歩行方向に沿わせるように固定する構造としており、図２（ｂ）に示すように、握部２１が固定部２４の上方側に位置するように配設される構成とされている。
【００１３】
握部２１には、図２（ｂ）に示すように、壁面２側の固定部２４側に壁面２側に向けて開口するように長手方向に沿って溝状の凹部２３が設けられている。また、握部２１には、上端部の反壁面２側を切り欠くように上方側及び反壁面２側に向けて開口するように長手方向に沿って切欠状の凹部２２が設けられている。
この握部２１の厚さ寸法（凹部２２の壁面２側の残余部位の厚さ寸法、壁面２に直交する方向に沿う寸法）や、上下寸法（凹部２３の上方側の残余部位の上下寸法）は、握り易さ等の観点から、適宜の寸法としてもよい。例えば、上記厚さ寸法及び上下寸法を、２０ｍｍ〜５０ｍｍ程度としてもよい。
【００１４】
また、本実施形態では、手摺本体２０の握部２１の上端面を、略平坦面としている。これにより、伝え歩き等をする際に、握部２１の上端面に、手等を安定的に置くことができ、また、沿わせるように滑らせ易くすることができる。
なお、握部２１の形状は、上述の例に限定されず、例えば、握部２１を、その下方側部位よりも拡径状としたり、略丸棒状等としたりしてもよい。また、握部２１の外周面に必要に応じてローレット加工等を施したり、滑り止め材等を貼着したりすることで、握部２１の外周面を、滑り止め性を有した外周面としてもよい。
【００１５】
固定部２４には、図２（ｂ）に示すように、上記した嵌合溝２５が設けられている。嵌合溝２５は、固定部２４（手摺本体２０）の長手方向の略全長に亘って設けられている。この嵌合溝２５は、図例では、縦断面視略コ字状とされており、壁面２側を向く面（溝底部）と上下方向を向く互いに対向する面（両側壁）とによって区画形成されている。また、図例では、嵌合溝２５を、固定部２４の上下方向の略中央部に設けた例を示している。また、図例では、嵌合溝２５の深さ寸法（壁面２に直交する方向に沿う寸法）を、固定部２４の厚さ寸法の略１／３の寸法とした例を示している。
【００１６】
また、手摺本体２０は、図１及び図２に示すように、略長手方向に沿って設けた嵌合溝２５の両側壁間に架け渡されるように設けられた軸部３０と、軸部３０の外周側に径方向に突出するように設けられ、嵌合溝２５の両側壁間方向（溝幅方向、図例では上下方向）に沿って移動可能とされた固定部３３と、を備えている。
軸部３０は、図１及び図２（ａ）に示すように、略丸棒状体とされている。また、軸部３０は、嵌合溝２５の両側壁間方向に軸方向を沿わせるように設けられている。
固定部３３は、本実施形態では、軸部３０の外周の全周に亘って鍔状に設けられた鍔状部３３とされている。この鍔状部３３は、図１及び図３に示すように、軸部３０よりも大径状とされた略円盤状（略円柱形状）とされており、軸部３０と同軸状に、軸部３０の軸方向途中部位に設けられている。
【００１７】
また、手摺本体２０には、図１及び図２（ｂ）に示すように、鍔状部３３を嵌合溝２５の両側壁間方向に移動させて手摺固定用部材１０の後記する切欠状段付溝部１６の段部１９に押し付ける押付機構部３１，３２が設けられている。
本実施形態では、鍔状部３３を軸部３０に固定的に設けている。また、本実施形態では、図１及び図２（ｂ）に示すように、手摺本体２０の押付機構部３１，３２を、軸部３０の一端部に設けられ、嵌合溝２５の一側壁にねじ込まれるねじ部３１と、軸部３０の他端部に手摺本体２０の外面側に露出するように設けられ、鍔状部３３を嵌合溝２５の両側壁間方向に沿って移動させる回転操作部３２と、を備えた構成としている。
ねじ部３１は、軸部３０における一端部としての嵌合溝２５の握部２１側の側壁（一側壁）側の端部に設けられている。
また、嵌合溝２５の一側壁には、ねじ部３１がねじ込まれる雌ねじ穴２６が、嵌合溝２５の他側壁としての反握部２１側の側壁側に向けて開口するように設けられている。
雌ねじ穴２６は、嵌合溝２５の一側壁に軸部３０のねじ部３１を直接的にねじ込むことで設けられたものとしてもよい。または、このような態様に代えて、ねじ部３１がねじ込まれるナット部を嵌合溝２５の一側壁に設け、このナット部によって雌ねじ穴２６を構成するようにしてもよい。
【００１８】
また、嵌合溝２５の他側壁には、嵌合溝２５の一側壁側及び手摺本体２０の反握部２１側に向けて開口するように溝幅方向に貫通する挿通孔２７が設けられている。この挿通孔２７は、雌ねじ穴２６と同軸状に設けられている。この挿通孔２７に、軸部３０における他端部側の部位としての嵌合溝２５の反握部２１側（反ねじ部３１側）の部位が挿通される。
なお、ねじ部３１は、軸部３０の軸方向の略全体に亘って設けるようにしてもよく、軸部３０の一端部側部位のみに設けるようにしてもよい。ねじ部３１を、軸部３０の軸方向の略全体に亘って設けた場合には、例えば、鍔状部３３を軸部３０にねじ合わされるナット部材としてもよい。この場合は、軸部３０の軸方向に積層させた複数のナット部材によって鍔状部３３を構成したような態様等としてもよい。
【００１９】
回転操作部３２は、軸部３０の他端部に固定的に設けられている。また、回転操作部３２は、図１及び図２に示すように、軸部３０よりも大径状とされた略円盤状とされており、軸部３０に同軸状に設けられている（図３も参照）。
この回転操作部３２としては、手指等によって直接的に軸部３０廻りに回転操作されるつまみ部としてもよい。または、回転操作部３２を、ドライバー等の治具が係合する部位を設けたものとし、治具によって回転操作がなされるものとしてもよい。
この回転操作部３２を回転操作することで、雌ねじ穴２６へのねじ部３１のねじ込み度合いの増減を伴い鍔状部３３が嵌合溝２５の溝幅方向に沿って移動する構成とされている。
【００２０】
つまり、この回転操作部３２を、軸部３０廻りに一方側へ回転させれば、軸部３０のねじ部３１が雌ねじ穴２６にねじ合いながら、鍔状部３３が手摺本体２０の握部２１側へ移動する。これにより、鍔状部３３と手摺本体２０の嵌合溝２５の他側壁との間の間隔が大きくなる。一方、この回転操作部３２を、軸部３０廻りに他方側へ回転させれば、軸部３０のねじ部３１が雌ねじ穴２６にねじ合いながら、鍔状部３３が反握部２１側に移動する。これにより、鍔状部３３と手摺本体２０の嵌合溝２５の他側壁との間の間隔が小さくなる。
【００２１】
これらねじ部３１、回転操作部３２及び鍔状部３３を備えた軸部３０は、手摺本体２０の長手方向に沿って複数箇所に設けられている。また、手摺本体２０には、これら軸部３０に対応させて、雌ねじ穴２６及び挿通孔２７が設けられている。例えば、これら軸部３０並びに雌ねじ穴２６及び挿通孔２７を互いに略等間隔を空けて手摺本体２０に設けるようにしてもよい。また、これらの間隔（ピッチ）は、手摺本体２０の壁面２に対する固定強度等の観点から適宜、設定するようにしてもよい。例えば、上記間隔（ピッチ）を、３００ｍｍ〜１０００ｍｍ程度としてもよく、好ましくは、３００ｍｍ〜７００ｍｍ程度としてもよい。また、これらの間隔（ピッチ）は、手摺下地の間隔（ピッチ）に応じたものとしてもよい。
また、軸部３０並びに雌ねじ穴２６及び挿通孔２７は、施工現場等において手摺本体２０に設けられるものとしてもよい。例えば、軸部３０のねじ部３１を手摺本体２０の適所に直接的にねじ込んで、雌ねじ穴２６及び挿通孔２７が設けられるような態様としてもよい。
【００２２】
また、手摺本体２０の固定部２４には、図２（ｂ）に示すように、軸部３０の回転操作部３２を受け入れる受入凹所２８が設けられている。この受入凹所２８は、固定部２４の反握部２１側面（図例では、下面）に反握部２１側（図例では、下方側）に向けて開口するように設けられている。また、この受入凹所２８は、手摺本体２０の嵌合溝２５の反握部２１側（図例では、直下）に設けられている。
受入凹所２８は、固定部２４の長手方向の全長に亘って設けるようにしてもよく、または、軸部３０の回転操作部３２に応じた位置となるように長手方向に沿って適宜の箇所に設けるようにしてもよい。
また、受入凹所２８は、挿通孔２７に連なるように挿通孔２７の反握部２１側に設けられている。
【００２３】
また、本実施形態では、図２（ｂ）に示すように、手摺装置１は、受入凹所２８の開口を覆うカバー２９を備えている。図例では、カバー２９の下面と手摺本体２０の下面とが略同一平面状となるようにカバー２９を手摺本体２０に固定した例を示している。なお、上記した受入凹所２８は、回転操作部３２がカバー２９に干渉しないように形成するようにしてもよい。
なお、カバー２９は、接着剤等によって手摺本体２０に固定するようにしてもよい。また、カバー２９を設けないようにしてもよい。また、手摺本体２０を施工した状態で、その長手方向端面が露出するような場合は、該端面を覆う端面カバーを設けるようにしてもよい。
【００２４】
また、図例では、手摺本体２０の上下端部の角部を面取り形状としている。また、手摺本体２０の反壁面２側面と凹部２２を区画形成する上方側を向く面との角部及び手摺本体２０の壁面２側面と凹部２３を区画形成する下方側を向く面との角部を面取り形状としている。図例では、これら面取り形状を、Ｒ面取り形状としている。
なお、図例では、中実状とされた手摺本体２０を示しているが、このような態様に限定されず、手摺本体２０を中空状としてもよい。
【００２５】
手摺固定用部材１０は、壁面２に固定される固定部１２と、手摺本体２０の嵌合溝２５に嵌め込まれる嵌込部１３と、を備えている。また、手摺固定用部材１０は、図２（ｂ）に示すように、本実施形態では、壁面２から反壁面２側に向けて突出するように配設される構成とされており、その壁面側端部を、壁面２に当接される当接部１１とし、反壁面側端部を、嵌込部１３としている。
この手摺固定用部材１０は、図２及び図３に示すように、手摺本体２０の嵌合溝２５の溝幅方向に沿う寸法（手摺固定用部材１０の厚さ寸法）を、手摺本体２０の長手方向に沿う方向の全体及び壁面２に直交する方向に沿う方向の全体に亘って略同寸法としている。また、本実施形態では、手摺固定用部材１０を、図３に示すように、略直方体形状としている。また、手摺固定用部材１０は、その厚さ寸法を、手摺本体２０の長手方向に沿う寸法よりも小さい寸法としている。
【００２６】
当接部１１は、壁面２側の端面が壁面２に当接される当接面とされている。
嵌込部１３は、図２（ｂ）に示すように、その厚さ寸法が手摺本体２０の嵌合溝２５の溝幅寸法と略同寸法とされている。つまり、本実施形態では、当該手摺固定用部材１０の厚さ寸法を、手摺本体２０の嵌合溝２５の溝幅寸法と略同寸法としている。なお、嵌込部１３の厚さ寸法を、嵌合溝２５の溝幅寸法よりも僅かに小さい寸法としてもよい。
また、嵌込部１３の壁面２に直交する方向に沿う寸法、つまりは手摺本体２０の嵌合溝２５の深さ寸法は、手摺本体２０の保持性や位置決め性等の観点から適宜設定するようにしてもよい。
【００２７】
また、手摺固定用部材１０自体の壁面２に直交する方向に沿う寸法は、図２及び図４に示すように、手摺本体２０を施工した状態で、手摺本体２０を壁面２から大きく突出させることなく、その握部２１を握った際に壁面２に手指が当り難くなるように、壁面２と握部２１との間に手指等が挿入し易い所定の間隙が形成されるように適宜の寸法としてもよい。この手摺固定用部材１０の壁面２に直交する方向に沿う寸法は、上記した嵌込部１３の壁面２に直交する方向に沿う寸法に応じて、また、壁面２と手摺本体２０の握部２１との間に例えば、２０ｍｍ〜５０ｍｍ程度、好ましくは、３０ｍｍ〜４０ｍｍ程度の所定の間隙が形成されるような寸法としてもよい。
【００２８】
固定部１２は、図２（ａ）に示すように、手摺固定用部材１０における手摺本体２０の長手方向に沿う方向の一方側部位とされている。図例では、手摺固定用部材１０における手摺本体２０の長手方向に沿う方向の略半分の部位を固定部１２とした例を示している。この固定部１２に手摺固定用部材１０を壁面２に固定する止具３がねじ込まれて（または打ち込まれて）、手摺固定用部材１０が壁面２に固定される。
【００２９】
また、本実施形態では、図２及び図３に示すように、手摺固定用部材１０の固定部１２における嵌込部１３に、当該手摺固定用部材１０を壁面２に固定する止具３の頭部を受け入れる凹部１４を設けている。
この凹部１４の深さ寸法（壁面２に直交する方向に沿う寸法）は、手摺固定用部材１０を壁面２に固定する止具３の頭部を受け入れることが可能なように、かつ、手摺固定用部材１０の嵌込部１３を手摺本体２０の嵌合溝２５に嵌め込んだ状態で、凹部１４の凹底部が手摺本体２０（固定部２４）の壁面２側面よりも反壁面２側に位置するように適宜の寸法としてもよい。
【００３０】
また、本実施形態では、凹部１４を、嵌込部１３における手摺本体２０の長手方向に沿う一方側の角部を切り欠くように嵌込部１３に設けている。図例では、固定部１２における嵌込部１３の略全体に凹部１４を設けている。この凹部１４は、止具３の止着部位となる反壁面２側を向く凹底部と手摺本体２０の長手方向に沿う一方側を向く面とによって区画形成されている。このような構成により、嵌込部１３は、凹部１４の凹底部と、嵌込部１３における凹部１４の残余部位となる突出部１５の反壁面２側面とによって段差形状とされている。
【００３１】
突出部１５は、図２（ｂ）に示すように、嵌込部１３が手摺本体２０の嵌合溝２５に嵌め込まれた状態で、その反壁面２側面が嵌合溝２５の溝底部に当接される。
また、本実施形態では、図２（ａ）に示すように、嵌込部１３の突出部１５の反壁面２側面の面積を、凹部１４の凹底部の面積と略同面積としている。
【００３２】
また、手摺固定用部材１０の嵌込部１３には、図１及び図２に示すように、嵌合溝２５の長手方向に沿う方向の一方側に向けて開口するように、かつ手摺本体２０の嵌合溝２５の両側壁間方向に沿って貫通するように、切欠状段付溝部１６が設けられている。つまり、切欠状段付溝部１６は、本実施形態では、手摺固定用部材１０の嵌込部１３に、厚さ方向に貫通するように設けられている。
また、切欠状段付溝部１６は、手摺本体２０の軸部３０を受け入れる軸部受入溝部１７と軸部受入溝部１７よりも溝幅が大とされ手摺本体２０の固定部（鍔状部）３３を受け入れる固定部受入溝部１８とからなる。また、切欠状段付溝部１６は、軸部受入溝部１７と固定部受入溝部１８とによって段部１９を形成している。この段部１９は、手摺固定用部材１０の厚さ方向一方側に向く面とされている。また、本実施形態では、切欠状段付溝部１６を突出部１５に設けている。
【００３３】
切欠状段付溝部１６は、図２（ａ）に示すように、本実施形態では、手摺本体２０の長手方向に沿って延びるように細長状とされている。また、図例では、切欠状段付溝部１６の長さ寸法を、嵌込部１３の突出部１５の手摺本体２０の長手方向に沿う寸法の略３／４とした例を示している。また、切欠状段付溝部１６を、嵌込部１３（突出部１５）の壁面２に直交する方向に沿う方向の略中央に設けている。
また、本実施形態では、軸部受入溝部１７を、手摺固定用部材１０の厚さ方向一方側に設け、固定部受入溝部１８を、手摺固定用部材１０の厚さ方向他方側に設けている。
【００３４】
軸部受入溝部１７の溝幅寸法（壁面２に直交する方向に沿う寸法）は、軸部３０の他端部側の部位の径に応じた寸法とされている。また、この軸部受入溝部１７は、嵌込部１３を手摺本体２０の嵌合溝２５に嵌め込んだ状態で、その溝幅方向中心に手摺本体２０の軸部３０の軸心が位置するように設けられている。
固定部受入溝部１８の溝幅寸法（壁面２に直交する方向に沿う寸法）は、鍔状部３３の外形寸法（本実施形態では、径）に応じた寸法とされている。
これら軸部受入溝部１７及び固定部受入溝部１８のそれぞれの溝幅寸法は、切欠状段付溝部１６の全長に亘って同幅とされている。
また、本実施形態では、この固定部受入溝部１８の溝幅方向中心と軸部受入溝部１７の溝幅方向中心とを一致させている。つまり、本実施形態では、図２（ａ）に示すように、切欠状段付溝部１６の溝幅方向両側に段部１９が形成されるように切欠状段付溝部１６を設けている。
また、図例では、軸部受入溝部１７及び固定部受入溝部１８のそれぞれの長手方向における反開口側の内面を、凹湾曲面形状としている。これら軸部受入溝部１７及び固定部受入溝部１８の反開口側の内面は、手摺固定用部材１０の厚さ方向に見て同心状の凹湾曲面形状とされている。
【００３５】
また、本実施形態では、図１及び図２に示すように、手摺固定用部材１０の切欠状段付溝部１６の段部１９に、嵌合溝２５の両側壁間方向に開口するように手摺本体２０の固定部（鍔状部）３３を受け入れる凹所１９ａを設けている。
凹所１９ａは、切欠状段付溝部１６の段部１９に固定部受入溝部１８側に向けて開口するように設けられている。つまり、凹所１９ａは、固定部受入溝部１８を軸部受入溝部１７側に凹ませるように設けられている。
また、凹所１９ａは、手摺本体２０の鍔状部３３に応じた形状とされている。本実施形態では、図２（ａ）に示すように、凹所１９ａを手摺固定用部材１０の厚さ方向に見て略円形状としている。
本実施形態では、凹所１９ａを、切欠状段付溝部１６の長手方向における反開口側端部に設けている。つまり、固定部受入溝部１８の長手方向における反開口側の内面に連なるように凹所１９ａを設けている。なお、この凹所１９ａを、切欠状段付溝部１６の長手方向途中位置等に設けるようにしてもよい。
【００３６】
また、本実施形態では、図１に示すように、凹所１９ａの深さ寸法を、手摺本体２０の鍔状部３３の凹所１９ａ側部位のみが凹所１９ａに受け入れられる寸法としている。図例では、凹所１９ａの深さ寸法を、鍔状部３３の軸方向に沿う寸法の略１／３とした例を示している。なお、凹所１９ａの深さ寸法を、鍔状部３３の略全体の受け入れが可能な寸法としてもよい。
【００３７】
なお、上記した手摺本体２０の雌ねじ穴２６の深さ寸法や、軸部３０のねじ部３１の雌ねじ穴２６へのねじ込み寸法、鍔状部３３の軸部３０に対する固定位置、回転操作部３２の回転操作により移動される鍔状部３３の嵌合溝２５の溝幅方向に沿う移動寸法は、手摺固定用部材１０の嵌込部１３を手摺本体２０の嵌合溝２５に嵌め込んだ状態で、手摺固定用部材１０の切欠状段付溝部１６の固定部受入溝部１８に鍔状部３３を受け入れ可能なように、また、鍔状部３３を段部１９（凹所１９ａ）に押し付け可能となるように適宜、設定するようにすればよい。
また、上記した手摺本体２０の受入凹所２８の深さ寸法（上下寸法）や凹所幅寸法（壁面２に直交する方向に沿う寸法）は、軸部３０の回転操作部３２が手摺本体２０の固定部２４の下面から突出しないように、適宜の寸法としてもよい。
また、切欠状段付溝部１６（軸部受入溝部１７、固定部受入溝部１８）の形状は、図例のものに限定されず、手摺本体２０を壁面２に固定された手摺固定用部材１０に対して仮保持可能となるように、適宜の形状としてもよい。
また、手摺本体２０及び手摺固定用部材１０としては、無垢の木材や木質積層材、木質繊維材、木粉・プラスチック複合材（ＷＰＣ）等の木質系材料からなる基材に、適宜、合成樹脂シートや突板等の表面化粧シートを貼着した構成としてもよい。また、基材としては、木質系材料に限られず、合成樹脂系材料、金属系材料等から形成されたものとしてもよい。
【００３８】
次に、手摺装置１の施工手順の一例について説明する。
まず、複数の手摺固定用部材１０を、手摺本体２０に設けられた各軸部３０に応じた位置となるように、上記したように間隔を空けてそれぞれの当接部１１を壁面２に当接させ、固定する。つまり、止具３を手摺固定用部材１０の固定部１２の凹部１４の凹底部に止着し、各手摺固定用部材１０を壁面２に固定する。図例では、手摺固定用部材１０を、手摺固定用部材１０の切欠状段付溝部１６の固定部受入溝部１８が上方側に位置するように、壁面２に固定した例を示している。
【００３９】
なお、手摺固定用部材１０の壁面２への固定位置は、当該手摺固定用部材１０に固定される手摺本体２０（握部２１）が握り易い高さ位置となるような固定位置としてもよい。例えば、手摺本体２０が成人の腰高さ付近（歩行面となる床面や階段の踏面（または段鼻上面）等から７００ｍｍ〜９００ｍｍ程度の高さ）に位置するように手摺固定用部材１０を壁面２に固定するようにしてもよい。
また、図例では、手摺固定用部材１０の凹部１４の凹底部に単一の止具３をねじ込んで（または打ち込んで）、手摺固定用部材１０を壁面２に固定した例を示している（図２及び図４参照）。このように単一の止具３によって手摺固定用部材１０を壁面２に固定した場合には、手摺固定用部材１０を、止具３廻りに回転させて微調整するようにしてもよい。
また、図例では、止具３を、壁面２に略直交する方向にねじ込んで（または打ち込んで）手摺固定用部材１０を壁面２に固定した例を示している（図２参照）。また、止具３は、上記した手摺下地にねじ込まれる（または打ち込まれる）。
なお、凹部１４の凹底部に止具３の下穴や貫通孔を設けようにしてもよい。
【００４０】
また、壁面２に固定した手摺固定用部材１０に手摺本体２０を固定する。この手摺本体２０を固定する際には、手摺固定用部材１０の嵌込部１３を手摺本体２０の嵌合溝２５に嵌め込み、手摺本体２０を長手方向にスライドさせて手摺本体２０の軸部３０及び鍔状部３３を手摺固定用部材１０の切欠状段付溝部１６に挿通させて、手摺本体２０を、壁面２に固定された手摺固定用部材１０に仮保持させるようにしてもよい。
なお、手摺本体２０の鍔状部３３は、手摺本体２０を固定する前に、必要に応じて回転操作部３２を操作して手摺固定用部材１０の固定部受入溝部１８に挿入可能な位置に位置させるようにしてもよく、または、鍔状部３３を予めそのような位置に位置させておくようにしてもよい。
【００４１】
また、図１（ａ）に示すように、手摺本体２０の鍔状部３３を上下方向において手摺固定用部材１０の凹所１９ａと一致する位置に位置付ける。
また、図１（ｂ）に示すように、手摺本体２０の回転操作部３２を上記したように操作して鍔状部３３を手摺固定用部材１０の凹所１９ａに受け入れさせ、鍔状部３３を凹所１９ａに押し付ける。これにより、手摺本体２０が手摺固定用部材１０に固定される。
また、このように手摺本体２０を手摺固定用部材１０に固定した状態では、握部２１が固定部２４の上方側に位置し、また、手摺固定用部材１０の露出する部位が手摺本体２０の壁面２側に位置する構造とされている。
また、手摺本体２０の受入凹所２８の開口にカバー２９を固定するようにしてもよい。
【００４２】
なお、上記した例では、手摺本体２０を、長手方向を略水平方向に沿わせて手摺固定用部材１０を介して壁面２に固定する構造とした例を示しているが、このような態様に限られない。例えば、階段の勾配に応じた傾斜方向とされた歩行方向に長手方向を沿わせるように、手摺本体２０を斜め状に手摺固定用部材１０を介して固定する構造としてもよい。または、このように手摺本体２０を、長手方向を歩行方向に沿わせて固定する構造とした態様に代えて、手摺本体２０を、長手方向を上下方向に沿わせて固定する構造としてもよい。この場合は、手摺本体２０の形状等を適宜、変形するようにしてもよい。また、手摺本体２０を、傾斜状となるように、または上下方向に沿うように壁面２に固定する場合は、切欠状段付溝部１６の長手方向一方側の開口が、長手方向他方側よりも上方側に位置するように、手摺固定用部材１０を壁面２に固定するようにしてもよい。これにより、手摺本体２０を手摺固定用部材１０に仮保持させることができる。
【００４３】
また、手摺本体２０は、壁面２に固定した手摺固定用部材１０の嵌込部１３に設けた切欠状段付溝部１６の段部１９（凹所１９ａ）に、鍔状部３３を押し付けることのみによって固定するようにしてもよい。または、このような態様に加えて、止具等を併用して手摺本体２０を手摺固定用部材１０に固定するようにしてもよい。この場合は、手摺本体２０の反壁面２側から止具を手摺固定用部材１０の適所にねじ込んで（打ち込んで）手摺固定用部材１０とともに手摺本体２０を壁面２に固定するようにしてもよい。また、この場合は、手摺本体２０に、この止具の頭部を受け入れる受入凹所を設けるようにしてもよい。
【００４４】
また、上記した例では、手摺固定用部材１０の凹部１４の凹底部に単一の止具３を止着して、手摺固定用部材１０を壁面２に固定した例を示しているが、複数の止具３を、凹部１４の凹底部に止着して手摺固定用部材１０を固定するようにしてもよい。また、手摺固定用部材１０を、凹部１４の凹底部に加えて、切欠状段付溝部１６に干渉しないように突出部１５に止具を止着して、壁面２に固定するようにしてもよい。
また、上記した例では、止具３を、壁面２に略直交する方向にねじ込んで（または打ち込んで）手摺固定用部材１０を壁面２に固定しているが、止具３を、壁面２に対して斜め状にねじ込んで（または打ち込んで）手摺固定用部材１０を固定するようにしてもよい。
【００４５】
また、上記した例では、手摺固定用部材１０を、その切欠状段付溝部１６の段部１９が握部２１側（上方側）に向くように配設し、手摺本体２０の鍔状部３３を嵌合溝２５の他側壁側（下方側）に移動させて段部１９に押し付けて手摺本体２０を手摺固定用部材１０に固定した例を示しているが、この態様に限定されない。例えば、手摺固定用部材１０を、その切欠状段付溝部１６の段部１９が反握部２１側（下方側）に向くように配設し、手摺本体２０の鍔状部３３を嵌合溝２５の一側壁側（上方側）に移動させて段部１９に押し付けて手摺本体２０を手摺固定用部材１０に固定するようにしてもよい。
【００４６】
上記構成とされた本実施形態に係る手摺装置１は、上述のような構成としたことで、施工性を向上させることができる。
つまり、当該手摺装置１は、手摺本体２０の嵌合溝２５の両側壁間に架け渡すように軸部３０を設け、この軸部３０の外周側に径方向に突出するように嵌合溝２５の両側壁間方向に沿って移動可能とされた固定部（鍔状部）３３を設けている。また、手摺固定用部材１０の嵌込部１３に、嵌合溝２５の長手方向に沿う方向の一方側に向けて開口するように、手摺本体２０の軸部３０を受け入れる軸部受入溝部１７とこの軸部受入溝部１７よりも溝幅が大とされ手摺本体２０の鍔状部３３を受け入れる固定部受入溝部１８とからなる切欠状段付溝部１６を設けている。従って、上記したように、壁面２に固定した手摺固定用部材１０の嵌込部１３を手摺本体２０の嵌合溝２５に嵌め込み、手摺本体２０を長手方向にスライドさせ、軸部３０及び鍔状部３３を手摺固定用部材１０の切欠状段付溝部１６に挿入することで手摺本体２０を壁面２に固定した手摺固定用部材１０に仮保持させることができる。これにより、壁面２に固定した手摺固定用部材１０に対して手摺本体２０がずれ落ちるようなことを抑制することができ、施工性を向上させることができる。
また、手摺本体２０に、固定部（鍔状部）３３を嵌合溝２５の両側壁間方向に移動させて手摺固定用部材１０の切欠状段付溝部１６の段部１９に押し付ける押付機構部３１，３２を設けている。従って、手摺本体２０を手摺固定用部材１０に強固に固定することができる。
【００４７】
また、本実施形態では、手摺固定用部材１０の切欠状段付溝部１６を、手摺本体２０の長手方向に沿って延びるように細長状としているので、手摺本体２０を手摺固定用部材１０に比較的に確実に仮保持させることができる。
また、本実施形態では、手摺固定用部材１０の段部１９を、切欠状段付溝部１６の溝幅方向両側に設け、この両側の段部１９（凹所１９ａ）に、手摺本体２０の鍔状部３３が押し付けられる構成としている。従って、例えば、切欠状段付溝部１６の溝幅方向一方側のみに段部１９を設け、この段部１９に、手摺本体２０の鍔状部３３が押し付けられる構成としたような態様と比べて、鍔状部３３をより安定的に段部１９に押し付けることができ、手摺本体２０を手摺固定用部材１０により強固に固定することができる。
【００４８】
また、本実施形態では、手摺固定用部材１０を、壁面側端部を壁面２に当接される当接部１１とし、反壁面側端部を手摺本体２０の壁面側に壁面側に向けて開口するように設けられた嵌合溝２５に嵌め込まれる嵌込部１３とし、壁面２から反壁面２側に向けて突出するように配設される構成としている。従って、手摺固定用部材１０を介して手摺本体２０を壁面２に固定した状態では、手摺固定用部材１０の露出する部位が手摺本体２０の壁面２側に位置することとなる。これにより、手摺固定用部材１０を目立ち難くすることができ、従来のように、手すりの下方側等に手すりを固定するブラケット等が大きく露出するようなものと比べて、見栄えを向上させることができる。
また、本実施形態では、手摺固定用部材１０の嵌込部１３に、手摺固定用部材１０を壁面２に固定する止具３の頭部を受け入れる凹部１４を設けているので、止具３の頭部が手摺本体２０の嵌合溝２５の内面（溝底部）に干渉するようなことを低減することができる。
【００４９】
また、本実施形態では、押付機構部３１，３２を、嵌合溝２５の一側壁にねじ込まれる軸部３０の一端部に設けたねじ部３１と、軸部３０の他端部に手摺本体２０の外面側に露出するように設けられ、軸部３０に固定的に設けた固定部（鍔状部）３３を嵌合溝２５の両側壁間方向に沿って移動させる回転操作部３２と、を備えた構造としている。従って、手摺本体２０の外面側から回転操作部３２を操作して、手摺本体２０の軸部３０の鍔状部３３を手摺固定用部材１０の切欠状段付溝部１６の段部１９に押し付けて、手摺本体２０を手摺固定用部材１０に固定することができる。また、例えば、軸部３０に対して嵌合溝２５の両側壁間方向に移動自在とされた鍔状部３３を、ばね等の付勢部材によって手摺固定用部材１０の切欠状段付溝部１６の段部１９に押し付ける構造とした場合と比べて、手摺本体２０を手摺固定用部材１０に強固に固定することができる。
また、手摺本体２０の外面側から回転操作部３２を操作して、手摺本体２０の軸部３０の鍔状部３３の押付を解除することで、手摺本体２０を手摺固定用部材１０から容易に取り外すようなこともできる。
【００５０】
また、本実施形態では、手摺固定用部材１０の切欠状段付溝部１６の段部１９に、嵌合溝２５の両側壁間方向に開口するように手摺本体２０の固定部（鍔状部）３３を受け入れる凹所１９ａを設けている。従って、手摺本体２０の鍔状部３３を凹所１９ａに受け入れさせることによって手摺本体２０を手摺固定用部材１０に対して手摺本体２０の長手方向に沿ってずれ難くすることができ、手摺本体２０を手摺固定用部材１０に対してより強固に固定することができる。なお、このような凹所１９ａを切欠状段付溝部１６に設けないようにしてもよい。
【００５１】
なお、本実施形態では、手摺固定用部材１０を略直方体形状とした例を示しているが、この態様に限定されない。手摺固定用部材１０としては、壁面２に固定される固定部１２、及び手摺本体２０の嵌合溝２５に嵌め込まれる嵌込部１３を設けた構造であれば、種々の形状とされたものとしてもよい。手摺固定用部材１０としては、例えば、壁面２に固定される固定部と、この固定部の反壁面側端部から上方に向けて突出するように設けられた嵌込部とによって手摺本体２０の長手方向に見て略Ｌ字形状とされたものとしてもよい。この場合は、手摺本体２０の嵌合溝２５を下方側に向けて開口するように設けてもよい。
また、本実施形態では、手摺固定用部材１０の凹部１４を、嵌込部１３における手摺本体２０の長手方向に沿う一方側を切り欠くように設けた例を示しているが、この態様に限定されない。例えば、手摺固定用部材１０の切欠状段付溝部１６に干渉しないように、手摺固定用部材１０の手摺本体２０の長手方向に沿う方向の途中部位等に凹部１４を設けた態様としてもよい。なお、このような凹部１４を嵌込部１３に設けないようにしてもよい。
【００５２】
また、本実施形態では、手摺固定用部材１０の切欠状段付溝部１６の段部１９を、切欠状段付溝部１６の溝幅方向両側に設け、この両側の段部１９（凹所１９ａ）に、手摺本体２０の鍔状部３３が押し付けられる構成とした例を示しているが、この態様に限られない。例えば、切欠状段付溝部１６の溝幅方向一方側のみに段部１９を設けた態様としてもよい。この場合は、手摺本体２０の固定部（鍔状部）３３の形状を適宜、変形するようにしてもよい。
【００５３】
また、本実施形態では、手摺本体２０を、固定部２４と握部２１とからなるものとした例を示しているが、このような態様に限られない。例えば、手摺本体２０を略丸棒形状等とし、その握部２１の一部に固定部を設けたような態様としてもよい。
また、手摺本体２０の押付機構部３１，３２としては、上記した例に限られない。例えば、軸部３０に対して嵌合溝２５の両側壁間方向に移動自在とされた固定部（鍔状部）３３を、ばね等の付勢部材によって手摺固定用部材１０の切欠状段付溝部１６の段部１９に押し付ける構造としてもよい。この場合は、手摺固定用部材１０の切欠状段付溝部１６の段部１９の軸部受入溝部１７側部位を、その厚さ寸法が、切欠状段付溝部１６の長手方向の反開口側から開口側に向けて徐々に小さくなるように形成してもよい。または、嵌合溝２５の一側壁において開口する挿入穴に、ばね等の付勢部材及び軸部３０の一端部を挿入させ、軸部３０に対して固定部３３を固定的に設けた態様としてもよい。この場合は、軸部３０の他端部を手摺本体２０の外面側に露出させ、該他端部を押圧または押圧解除することで、固定部３３を嵌合溝２５の両側壁間方向に沿って移動可能とした態様としてもよい。
また、本実施形態では、手摺本体２０の固定部３３を、軸部３０の外周の全周に亘って設けた鍔状部３３とした例を示しているが、この態様に限られず、切欠状段付溝部１６の段部１９に押し付けられるものであればよい。例えば、固定部３３を、軸部３０の外周側に径方向に放射状に突出させた複数の突起部等からなるものとしてもよい。または、このような態様に代えて、固定部３３を、軸部３０の外周側に径方向に突出するように設けた略棒状体等としてもよい。
【符号の説明】
【００５４】
１      手摺装置
１０    手摺固定用部材
１２    固定部
１３    嵌込部
１６    切欠状段付溝部
１７    軸部受入溝部
１８    固定部受入溝部
１９    段部
１９ａ  凹所
２０    手摺本体
２５    嵌合溝
３０    軸部
３１    ねじ部（押付機構部）
３２    回転操作部（押付機構部）
３３    鍔状部（固定部）
２      壁面
【図１】
2014134046.tif 000003
【図２】
2014134046.tif 000004
【図３】
2014134046.tif 000005
【図４】
2014134046.tif 000006